(57)【要約】【課題】情報表示のために、画面上で広い領域を必要とすることなく、複数の配信元からの多数の最新の出来事のセンテンスを速やかに表示し、今視聴している番組の視聴の継続を妨げることなく、視聴者にこの情報データを知らせる。【解決手段】インターネット上の情報配信サイトで配信される情報データを取得する通信Ｉ／Ｆ１３、及びデジタル放送を受信して配信される情報データを取得するデジタル放送チューナー３によって情報データを取得し、この情報データの１つの箇条書きを１つのセンテンスとして時系列にメモリー部１２の第１の記憶部に記憶し、情報データを表示可能な形式に変換する映像変換手段５，６によって、情報データの所定のセンテンスを付加画像として視聴中の画面の一部を使って表示する。【選択図】        図１
2004179949.tif 000002
【特許請求の範囲】
【請求項１】
インターネットに接続し、又はデジタル放送を受信して取得した情報データを処理可能なテレビジョン受信機において、
インターネット上の情報配信サイトで配信される情報データを取得する通信Ｉ／Ｆ、及び／又はデジタル放送を受信して配信される情報データを取得するデジタル放送チューナーを有する情報データ取得手段と、
前記情報データの１つの箇条書きを１つのセンテンスとして時系列に記憶する第１の記憶部を有する記憶手段と、
前記情報データを表示可能な形式に変換する映像変換手段と、
操作者の操作情報を出力する操作入力手段と、
前記操作情報に基づいて前記テレビジョン受信機全体を制御する制御手段と
を有し、
最新の出来事を箇条書きの形式にて表示する前記情報配信サイトとの接続、及び／又は最新の出来事を箇条書きの形式にて表示する前記デジタル放送のチャンネルを予め登録しておき、前記制御手段の取得指示に基づいて、１つ以上の配信元から前記情報データを取得して記憶し、少なくとも該情報データの所定のセンテンスを付加画像として視聴中の画面の一部を使って表示するための映像信号を生成することを特徴とするテレビジョン受信機。
【請求項２】
更に、前記映像変換手段によって変換された前記情報データを表示する表示手段を有し、前記映像信号を入力して画像表示することを特徴とする請求項１記載のテレビジョン受信機。
【請求項３】
前記制御手段は、前記操作手段からの操作情報に基づいて前記取得指示を出すことを特徴とする請求項１又は２記載のテレビジョン受信機。
【請求項４】
前記制御手段は、一定の時間間隔で前記取得指示を出すことを特徴とする請求項１又は２記載のテレビジョン受信機。
【請求項５】
前記記憶手段が、未だに記憶していないセンテンスのみを新たに記憶するようにしたことを特徴とする請求項１又は２記載のテレビジョン受信機。
【請求項６】
前記第１の記憶部に、前記センテンスをジャンル毎に区別して記憶し、前記操作情報に基づいて、所望ジャンルにおける最新の保存された前記センテンスを前記付加画像とすることを特徴とする請求項１又は２記載のテレビジョン受信機。
【請求項７】
前記制御手段は、前記第１の記憶部に記憶されている前記センテンスを、最新のものから時系列に任意に定めた個数溯った中からランダムに選択し、選択した前記センテンスを前記付加画像とすることを特徴とする請求項１又は２記載のテレビジョン受信機。
【請求項８】
前記制御手段は、前記操作情報に基づいて、前記第１の記憶部により記憶した前記センテンスを時系列に溯って選択し、選択したセンテンスを前記付加画像としたことを特徴とする請求項１又は２記載のテレビジョン受信機。
【請求項９】
更に、前記記憶手段が、過去に前記付加画像とした前記センテンスを逐次記憶する第３の記憶部を有し、
前記制御手段は、前記操作情報に基づいて、前記第３の記憶手段により記憶したセンテンスを時系列に溯って選択し、選択したセンテンスを前記付加画像としたことを特徴とする請求項１又は２記載のテレビジョン受信機。
【請求項１０】
更に、前記情報データを音声出力可能な形式に変換する音声変換手段を有し、前記付加画像を表示するための映像信号を生成するのと同時に前記付加画像のセンテンスの通知内容を音声出力するための音声信号を生成することを特徴とする請求項１又は２記載のテレビジョン受信機。
【請求項１１】
更に、前記音声信号を入力して音声出力するスピーカを有することを特徴とする請求項１０記載のテレビジョン受信機。
【請求項１２】
更に、前記記憶手段が、前記情報データを紹介するキャラクタを発生させるキャラクタデータを予め記憶した第２の記憶部を有し、
前記制御手段は、前記第１の記憶部から選択した所定のセンテンスを口語調に変換し、変換した該口語調センテンスと共に、該口語調センテンスに対応するキャラクタデータを選択し、選択した該キャラクタデータを前記口語調センテンスに関連付けて表示するように前記付加画像を形成することを特徴とする請求項１又は２記載のテレビジョン受信機。
【請求項１３】
前記情報データ取得手段によって、テレビチャンネル情報の配信元から、前記情報データとして電子番組ガイドを含むテレビチャンネル情報を取得し、取得した前記テレビチャンネル情報を記憶するための第４の記憶部を前記記憶手段に更に設け、
前記制御手段は、前記第１の記憶部から読み出した前記センテンスから所定の単語を選出し、該選出単語又は該選出単語に関連のある語句を含む番組を、前記第４の記憶部に記憶したテレビチャンネル情報の現在以降の番組から検索し、検索した番組から所定の優先順位に従って選んだ番組情報を、前記選出単語を選出した前記センテンスと共に前記付加画像とすることを特徴とする請求項１又は２記載のテレビジョン受信機。
【請求項１４】
前記制御手段は、前記情報データ取得手段で取得した前記情報データの各センテンスから各々主要な単語を選出し、該選出単語又は該選出単語に関連のある語句を含む番組が、前記第４の記憶部に記憶された保存テレビチャンネル情報の当日の番組中に存在するか否かを調査し、存在する場合のみ、前記選出単語を選出した前記センテンスを前記第１の記憶部に時系列に記憶することを特徴とする請求項１３記載のテレビジョン受信機。
【請求項１５】
前記請求項１乃至１４の何れかのテレビジョン受信機が情報データを入手する専用の情報配信元の情報データの配信方法であって、
最新の出来事をジャンル分けして箇条書きの形式にて表示する情報配信サイトとの接続、及び／又は最新の出来事をジャンル分けして箇条書きの形式にて表示するデジタル放送のチャンネルを予め登録しておき、
一定の時間間隔で登録してある前記情報配信サイト及び／又は前記チャンネルにアクセスして１つ以上の配信元から情報データを取得し、
該情報データにおいて１つの箇条書きを１つのセンテンスとし、各センテンスをジャンルごとに分け、且つ時系列に表示する前記情報データを再配信する
ことを特徴とする情報データの配信方法。
【発明の詳細な説明】
【０００１】
【発明の属する技術分野】
本発明は、情報配信元から情報データを受信して、テレビ放送の画面に情報データを付加して表示することが可能なテレビジョン受信機に関する。
【０００２】
【従来の技術】
一般のテレビジョン受信機の機能に、パソコンのインターネット接続表示機能を融合したインターネットテレビジョン受信機は、一般のテレビ放送を受信して表示する機能に加え、インターネット接続機能によりウェブサイトと通信して配信された情報を受信して得たウェブ画面を、テレビ放送の画面と切り替える、画面分割する、或いは画面内に窓を設けることにより表示するものである。
【０００３】
更に、テレビチャンネル情報を提供するウェブサイトに接続して放送情報を見ている途中に、所望のチャンネルをクリックすれば、テレビモードへの切り替えや該当チャンネルに切り替えるためのキー入力をしなくても自動で該当チャンネルに切り替えさせるものがあった（例えば、特許文献１参照）。
【０００４】
【特許文献１】
特開平２００１―９４９６６号公報（第８頁、図５）
【０００５】
【発明が解決しようとする課題】
以上のように、インターネット或いはデータ放送により配信された情報データをテレビジョン受信機に表示する場合、画面を切り替える、画面分割する、或いは図２０に示すように、画面内に窓を開けてウェブ画面等の情報データを表示することになる。然しながら、視聴者が所望する番組を視聴中、或いはＣＭなどの番組の合間に、上記した表示方法で、インターネット或いはデータ放送によって最新の出来事の情報を得ようとすると、その表示のために、画面内の広い表示領域確保と処理時間が必要となり、更に表示された情報の中から、視聴者が望むジャンルを探すのに手間がかかるといった問題があった。
【０００６】
また、上記のような情報を、複数のウェブサイト或いはデータ放送から得ようとすると、それぞれのウェブサイトへの接続、或いはデータ放送受信に対して情報表示のための処理時間が必要であるという問題があった。
【０００７】
また、表示する情報データが、図１９に示すように新聞の見出しのような表現によるセンテンスの情報の場合、そのままではコミュニケーション型の情報機器としての表現にはふさわしくないという問題があった。
【０００８】
更に、図１９のように表示されたセンテンスの情報から、この内容に関連した番組が放送されているか、或いは放送される予定があるかを調べるには、新聞のテレビ欄を見る、番組情報誌を見る、テレビチャンネル情報を提供するウェブサイトに接続してテレビチャンネル情報を表示させて確認或いは検索する、或いは電子番組ガイドを表示させて確認或いは検索するという労力が必要となる問題があった。
【０００９】
本発明の目的は、上記した各問題点を解消し、情報表示のために広い領域を必要とすることなく、複数の配信元からの多数の最新の出来事のセンテンスを速やかに表示することが可能なテレビジョン受信機を提供することにある。
【００１０】
更に、視聴者が、所望のジャンルに関するセンテンスを選択可能とし、表示した情報内容に関連した番組を情報データとして確認可能とするなど、コミュニケーション型の情報機器として好適なテレビジョン受信機を提供することにある。
【００１１】
【課題を解決するための手段】
本発明のテレビジョン受信機は、インターネットに接続し、又はデジタル放送を受信して取得した情報データを処理可能なテレビジョン受信機であって、
インターネット上の情報配信サイトで配信される情報データを取得する通信Ｉ／Ｆ、及び／又はデジタル放送を受信して配信される情報データを取得するデジタル放送チューナーを有する情報データ取得手段と、前記情報データの１つの箇条書きを１つのセンテンスとして時系列に記憶する第１の記憶部を有する記憶手段と、前記情報データを表示可能な形式に変換する映像変換手段と、操作者の操作情報を出力する操作入力手段と、前記操作情報に基づいて前記テレビジョン受信機全体を制御する制御手段と
を有し、
最新の出来事を箇条書きの形式にて表示する前記情報配信サイトとの接続、及び／又は最新の出来事を箇条書きの形式にて表示する前記デジタル放送のチャンネルを予め登録しておき、前記制御手段の取得指示に基づいて、１つ以上の配信元から前記情報データを取得して記憶し、少なくとも該情報データの所定のセンテンスを付加画像として視聴中の画面の一部を使って表示するための映像信号を生成することを特徴とする。
【００１２】
また、本発明の情報データの配信方法は、前記したテレビジョン受信機が情報データを入手する専用の情報配信元の情報データの配信方法であって、
最新の出来事をジャンル分けして箇条書きの形式にて表示する情報配信サイトとの接続、及び／又は最新の出来事をジャンル分けして箇条書きの形式にて表示するデジタル放送のチャンネルを予め登録しておき、
一定の時間間隔で登録してある前記情報配信サイト及び／又は前記チャンネルにアクセスして１つ以上の配信元から情報データを取得し、
該情報データにおいて１つの箇条書きを１つのセンテンスとし、各センテンスをジャンルごとに分け、且つ時系列に表示する前記情報データを再配信する
ことを特徴とする。
【００１３】
【発明の実施の形態】
実施の形態１．
図１は、本発明による実施の形態１のテレビジョン受信機１の構成を示すブロック図である。
【００１４】
同図中、デジタル放送チューナー３及びアナログ放送チューナー４は、各々アンテナ２からの信号を入力とし、映像信号処理部５はデジタル放送チューナー３からの出力とアナログ放送チューナー４からの出力と後述するＣＰＵ１１から出力する信号を入力とする。映像信号合成部６は映像信号処理部５からの出力と後述するＣＰＵ１１から出力する信号を入力とし、表示部７は映像信号合成部６からの出力を入力する。
【００１５】
音声信号処理部８はデジタル放送チューナー３からの出力とアナログ放送チューナー４からの出力と後述するＣＰＵ１１から出力する信号を入力とし、音声信号合成部９は音声信号処理部８からの出力と後述するＣＰＵ１１から出力する信号を入力とし、スピーカ１０は音声信号合成部６からの出力を入力する。ＣＰＵ１１、メモリー部１２、外部の広域ネットワークと接続する通信インターフェース（以下通信Ｉ／Ｆと称す）１３、及びテレビジョン受信機１をコントロールするリモコン１４から出力する信号を受信するリモコンインターフェース（以下リモコンＩ／Ｆと称す）１５の各データ入出力部はバスを介して互いに接続されている。
【００１６】
尚、上記中、デジタル放送チューナー３及び通信Ｉ／Ｆ１３が情報データ取得手段に相当し、メモリー部１２が記憶手段に相当し、映像信号処理部５及び映像信号合成部６が映像変換手段に相当し、リモコン１４及びリモコンＩ／Ｆ１５が操作入力手段に相当し、ＣＰＵ１１が制御手段に相当し、表示部７が常時手段に相当し、音声信号処理部８及び音声信号合成部９が音声変換手段に相当する。
【００１７】
以上の構成において、先ずデジタルテレビ放送を受信して視聴する動作を説明する。
【００１８】
アンテナ２で受信した信号は、デジタル放送チューナー３で受信復調され、ＭＰＥＧ方式の映像データが映像信号処理部５に、またデジタル音声データが音声信号処理部８に出力される。映像信号処理部５は、ＭＰＥＧ方式の映像データを復号し、復号した映像信号を映像合成部６を経由して表示部７に出力する。表示部７は、ＣＲＴ、液晶表示器、ＰＤＰパネル等で形成され、入力信号を映像化して表示する。一方、音声信号処理部８は、デジタル音声データを復号し、復号した音声信号を、音声信号合成部９を経由してスピーカ１０に出力し、スピーカ１０がこれを音声化する。
【００１９】
次に、アナログテレビ放送を受信して視聴する動作を説明する。
【００２０】
アンテナ２で受信した信号は、アナログ放送チューナー４で受信され、ＮＴＳＣ方式の映像信号が映像信号処理部５に、また音声信号が音声信号処理部８に出力される。映像信号処理５は、ＮＴＳＣ方式の映像信号を復号し、復号した映像信号を、映像合成部６を経由して表示部７に出力し、表示部７がこれを映像化して表示する。一方、音声信号は、音声信号処理部８、音声信号音声合成部９を経由してスピーカ１０に入力し、スピーカ１０によって音声化される。
【００２１】
図３は、テレビジョン受信機１が、ＣＰＵ１１の指令のもとに、視聴者の要求に基づいて情報データを取得して記憶するまでの流れを説明するためのフローチャートであり、図２は、メモリー部１２の記憶領域を概念的に表した概念図である。以下、このフローの動作について図２を参照しながら説明する。
【００２２】
視聴者がテレビ番組を視聴している時（Ｓ１００）、視聴者によるリモコン１４の操作等によって、データ取得のための特定のアクションがあると（Ｓ１０１）、予め接続先を登録した、例えば前記した図１９に示すような最新の出来事を箇条書きの形式にて表示する情報配信サイトへのインターネット接続、或いは最新の出来事を箇条書きの形式にて表示するデータ放送の受信を行う（Ｓ１０２）。インターネット接続で取得する情報データの場合には通信Ｉ／Ｆ１３から取得し、データ放送を受信して取得する情報データの場合にはデジタル放送チューナー３から取得してＣＰＵ１１に入力する（Ｓ１０３）。
【００２３】
ＣＰＵ１１は、この入力した情報データにおいて１つの箇条書きを１センテンスとしてメモリー部１２に記憶する（Ｓ１０４）。このときメモリー部１２は、各センテンスを、図２に示すように時系列に記憶するメモリー領域としての第１の記憶部に記憶する。上記した記憶動作は、前記した特定のアクションが起こる都度繰り返される。
【００２４】
図４は、テレビジョン受信機１が、ＣＰＵ１１の指令のもとに、記憶した情報データを読み出して表示するまでの流れを説明するためのフローチャートであり、図５は、読み出した情報データの表示例を示す説明図である。以下、このフローの動作について図５を参照しながら説明する。
【００２５】
ＣＰＵ１１は、通常の画面を表示している時（Ｓ２００）に、例えば視聴者がリモコン１４のキーを押すという方法で情報データの表示を要求すると、リモコン１４から送信される赤外線信号を受信するリモコンＩ／Ｆ１５からの受信信号を入力し、この要求を確認する（Ｓ２０１）。そして、入力された信号に従って最新のセンテンスをメモリー部１２から読み出し（Ｓ２０２）、映像信号処理部５で画像合成表示できるような形式の信号に変換し（Ｓ２０３）、実際に画像信号合成する映像信号合成部６に入力する。
【００２６】
映像信号合成部６は、一般のテレビ放送を受信し表示している画面上に、図５に示すように窓を設け、或いはオーバーレイを行って（Ｓ２０４）、読み出されたセンテンスを視聴中の画面上の一部を使って表示する（Ｓ２０５）。
【００２７】
図６は、テレビジョン受信機１が、ＣＰＵ１１の指令のもとに、記憶した情報データを読み出して表示すると同時に、その表示内容を音声出力するまでの流れを説明するフローチャートであり、以下、このフローの動作について説明する。
【００２８】
図４のフローで説明したように、ステップ２００からステップ２０５までの動作において、ＣＰＵ１１は、通常の画面を表示している時に、視聴者による情報データの表示の要求を確認すると、その要求に従って最新のセンテンスをメモリー部１２から読み出し、画像合成表示できるように信号処理した後、視聴中の画面上の一部を使って表示する。
【００２９】
ＣＰＵ１１は、同時に、メモリー部１２から読み出した最新のセンテンスを、音声信号処理部８で音声信号に変換し（Ｓ２０９）、音声信号合成部９に入力する。音声信号合成部９は、視聴中の番組の音声信号と読み出された最新のセンテンスの音声信号を合成し（Ｓ２１０）、合成した音声信号をスピーカ１０に出力して音声出力する（Ｓ２１１）。
【００３０】
以上のように、実施の形態１のテレビジョン受信機１によれば、視聴者が特定のアクションを起こすことで、情報配信サイト或いはデータ放送から最新の出来事をセンテンスごとに時系列に取得記憶し、また視聴者の要求によって、最新センテンスを視聴中の画面の一部に表示するようにしたので、視聴者は、番組視聴中、或いはＣＭなどの番組の合間に情報表示のための広い領域を占有されることが無く、また表示処理のために多くの時間を費やすことなく、簡単に最新情報を知ることができる。
【００３１】
更に、情報データのセンテンスの表示と同時に、表示内容を音声で通知するようにしたので、視聴者は、番組視聴中、或いはＣＭなどの番組の合間に最新の情報を音声によっても知ることができる。
【００３２】
実施の形態２．
図７は、本発明によるテレビジョン受信機１によって行なわれる実施の形態２の処理動作を説明するためのフローチャートである。本実施の形態では、テレビジョン受信機１が、ＣＰＵ１１の制御のもとに、定期的に情報データを取得して記憶するようにしたもので、以下、図２を参照しながら、このフローチャートに基づいて、その動作について説明する。
【００３３】
視聴者がテレビ番組を視聴している時（Ｓ１００）、前記したステップ１０２からステップ１０４までの動作によって、予め接続先を登録した、情報配信サイトへのインターネット接続、或いはデータ放送の受信を行って得た情報データをＣＰＵ１１に入力し、この情報データにおいて１つの箇条書きを１センテンスとしてメモリー部１２に記憶する。このときメモリー部１２は、各センテンスを、図２に示すように時系列に記憶するメモリー領域としての第１の記憶部に記憶する。上記した記憶動作は、特定のアクションが起こる都度繰り返される。
【００３４】
その後、一定時間の経過をカウントした後（ステップ１０７）、上記した情報データの取得、及び取得した情報データ記憶を、ステップ１０７で定まる所定の周期で繰り返す。
【００３５】
以上のように、実施の形態２の処理動作によれば、一定の時間間隔で事前に登録しておいたサイトあるいはデータ放送にアクセスして１つ以上の情報配信元からの情報データを取得するようにしたので、視聴者は、特に何らかの動作をすることなく最新情報を得、視聴者が、データの表示を要求した時、最新センテンスを視聴中の画面の一部に表示するようにできる。
【００３６】
実施の形態３．
図８は、本発明によるテレビジョン受信機１によって行なわれる実施の形態３の処理動作を説明するためのフローチャートである。本実施の形態では、テレビジョン受信機１が、ＣＰＵ１１の指令のもとに、未記憶の情報データのみを取得して記憶するようにしたもので、以下、図２を参照しながら、このフローチャートに基づいて、その動作について説明する。
【００３７】
前記したように、ＣＰＵ１１は、ステップ１００からステップ１０３までの動作において、視聴者がテレビ番組を視聴している時、リモコン１４の操作等の特定のアクションがあると、予め接続先を登録した、情報配信サイトへのインターネット接続、或いはデータ放送の受信を行って得た情報データを入力する。
【００３８】
ＣＰＵ１１は、入力した情報データにおいて１つの箇条書きを１センテンスとし、このセンテンスと、過去にメモリー部１２の第１の記憶部に記憶してある各センテンスとを比較し、同一のセンテンスが既に記憶されている場合にはそのセンテンスの記憶は行わず、未記憶のセンテンスのみ時系列に記憶する（Ｓ１０８）。上記動作は、特定のアクションが起こる都度繰り返される。
【００３９】
以上のように、実施の形態３の処理動作によれば、情報データを取得する手段を事前に登録してあるサイトあるいは登録してあるチャンネルにアクセスして１つ以上の情報配信元から情報データを取得し、未取得のセンテンスのみ第１の記憶手段に記憶するようにしたので、第１の記憶手段に同じ情報を複数回記憶する無駄な動作を省くことができる。
【００４０】
実施の形態４．
図９、図１０は、本発明によるテレビジョン受信機１によって行なわれる実施の形態４の処理動作を説明するためのフローチャートである。本実施の形態では、テレビジョン受信機１が、ＣＰＵ１１の指令のもとに、メモリー部１２がセンテンスをジャンル毎に分けて記憶し、且つ読み出して表示するようにしたもので、以下、図２を参照しながら、各フローチャートに基づいて、その動作について説明する。
【００４１】
前記したように、ＣＰＵ１１は、ステップ１００からステップ１０３までの動作において、視聴者がテレビ番組を視聴している時、リモコン１４の操作等の特定のアクションがあると、予め接続先を登録した、情報配信サイトへのインターネット接続、或いはデータ放送の受信を行って得た情報データを入力する。
【００４２】
ＣＰＵ１１は、入力した情報データにおいて１つの箇条書きを１センテンスとしてメモリー部１２に記憶する。このとき図２に示すように、各センテンスをジャンルごとに分けし（Ｓ１０５）、時系列に記憶するメモリー領域としての第１の記憶部に記憶する。時系列に第１の記憶手段として記憶するメモリー領域に記憶する（Ｓ１０６）。上記動作は、前記した特定のアクションが起こる都度繰り返される。
【００４３】
図１０は、テレビジョン受信機１が、ＣＰＵ１１の指令のもとに、ジャンルごとに記憶した情報データの各センテンスを読み出して表示するまでの流れを説明するためのフローチャートであり、以下、このフローの動作について説明する。
【００４４】
ＣＰＵ１１は、通常の画面を表示している時（Ｓ２００）に、例えば視聴者がリモコン１４のキーを選択して押すという方法で、ジャンルを選択して情報データの表示を要求すると、リモコン１４から送信される赤外線信号を受信するリモコンＩ／Ｆ１５からの受信信号を入力し、この要求を確認する（Ｓ２０６）。そして、入力された信号に従って要求されたジャンルの最新のセンテンスをメモリー部１２の第１の記憶部から読み出し（Ｓ２０７）、映像信号処理部５で画像合成表示できるような形式の信号に変換し（Ｓ２０３）、実際に画像信号合成する映像信号合成部６に入力する。
【００４５】
映像信号合成部６は、一般のテレビ放送を受信し表示している画面上に、図５に示すように窓を設け、或いはオーバーレイを行って（Ｓ２０４）、読み出されたセンテンスを視聴中の画面上の一部を使って表示する（Ｓ２０５）。
【００４６】
以上のように、実施の形態４の処理動作によれば、視聴者がジャンルを選択してデータの表示を要求した時、選択されたジャンルの最新センテンスを視聴中の画面の一部に表示できるので、視聴者は、番組視聴中、或いはＣＭなどの番組の合間に情報表示のための広い領域を占有されること無く、また表示処理のために多くの時間を費やすことなく簡単に、選択したジャンルの最新情報を知ることができる。
【００４７】
実施の形態５．
図１１は、本発明によるテレビジョン受信機１によって行なわれる実施の形態５の処理動作を説明するためのフローチャートである。本実施の形態では、テレビジョン受信機１が、ＣＰＵ１１の指令のもとに、記憶したセンテンスを、過去に溯って所定数読み出した中からアトランダムに１つ選択し、表示するようにしたもので、以下、このフローチャートに基づいて、その動作について説明する。
【００４８】
尚、本実施の形態５の処理動作を実行するに際して、メモリー部１２の第１の記憶部（図２）には、前記した実施の形態１の図３のフローチャートに従って、情報データの各センテンスが記憶されているものとする。
【００４９】
ＣＰＵ１１は、通常の画面を表示している時（Ｓ２００）に、例えば視聴者がリモコン１４のキーを押すという方法で情報データの表示を要求すると、リモコン１４から送信される赤外線信号を受信するリモコンＩ／Ｆ１５からの受信信号を入力し、この要求を確認する（Ｓ２０１）。そして、入力された信号に従って、最新のセンテンスから時系列に任意に定めた個数溯ったセンテンスまでの中からランダムに選出したセンテンスをメモリー部１２の第１の記憶部から読み出し（Ｓ２０８）、映像信号処理部５で画像合成表示できるような形式の信号に変換し（Ｓ２０３）、実際に画像信号合成する映像信号合成部６に入力する。
【００５０】
映像信号合成部６は、一般のテレビ放送を受信し表示している画面上に、図５に示すように窓を設け、或いはオーバーレイを行って（Ｓ２０４）、読み出されたセンテンスを視聴中の画面上の一部を使って表示する（Ｓ２０５）。
【００５１】
以上のように、実施の形態５の処理動作によれば、第１の記憶部に記憶されている情報データのセンテンスを最新のセンテンスから任意に定めた個数溯ったセンテンスまでの中からランダムに選択し表示するようにしたので、視聴者は、最新のセンテンス群の中からランダムに選択されたセンテンスを視聴中の画面の一部に表示して最新情報を知ることができる。
【００５２】
実施の形態６．
図１２は、本発明によるテレビジョン受信機１によって行なわれる実施の形態６の処理動作を説明するためのフローチャートである。本実施の形態では、テレビジョン受信機１が、ＣＰＵ１１の指令のもとに、第１の記憶部に記憶したセンテンスを時系列的に溯って表示するようにしたもので、以下、このフローチャートに基づいて、その動作について説明する。
【００５３】
尚、本実施の形態６の処理動作を実行するに際して、メモリー部１２の第１の記憶部（図２）には、前記した実施の形態１の図３のフローチャートに従って、情報データの各センテンスが記憶されているものとする。
【００５４】
図４のフローで説明したように、ステップ２００からステップ２０５までの動作において、ＣＰＵ１１は、通常の画面を表示している時に、視聴者による情報データの表示の要求を確認すると、その要求に従って最新のセンテンスをメモリー部１２から読み出し、画像合成表示できるように信号処理した後、視聴中の画面上の一部を使って表示する。
【００５５】
この後ＣＰＵ１１は、視聴者が、例えばリモコン１４のキーを押すという方法で、現在表示中の最新のセンテンスから、メモリー部１２の第１の記憶手段で記憶しているセンテンスを時系列に溯って表示することを要求すると、リモコン１４から送信される赤外線信号を受信するリモコンＩ／Ｆ１５からの受信信号を入力してこの要求を確認する（Ｓ２１６）。そして、入力された信号に従って、メモリー部１２から読み出されて表示されているセンテンスから時系列に溯ったセンテンスをメモリー部１２から再度読み出し（Ｓ２１７）、映像信号処理部５で画像合成表示できるような形式の信号に変換し（Ｓ２０３）、実際に画像信号合成する映像信号合成部６に入力する。
【００５６】
映像信号合成部６は、一般のテレビ放送を受信し表示している画面上に、図５に示すように窓を設け、或いはオーバーレイを行って（Ｓ２０４）、読み出されたセンテンスを視聴中の画面上の一部を使って表示する（Ｓ２０５）。
【００５７】
以上のように、実施の形態６の処理動作によれば、視聴者が要求した時、第１の記憶部に記憶したセンテンスを時系列に溯って視聴中の画面の一部を使って表示するので、視聴者は、簡単に最新より少し前の情報を知ることができる。
【００５８】
実施の形態７．
図１３は、本発明によるテレビジョン受信機１によって行なわれる実施の形態７の処理動作を説明するためのフローチャートである。本実施の形態では、テレビジョン受信機１が、ＣＰＵ１１の指令のもとに、過去の表示したセンテンスを時系列的に溯って表示するようにしたもので、以下、前記した図２を参照しながらこのフローチャートに基づいて、その動作について説明する。
【００５９】
尚、本実施の形態７の処理動作を実行するに際して、メモリー部１２の第１の記憶部（図２）には、前記した実施の形態１の図３のフローチャートに従って、情報データの各センテンスが記憶されているものとする。
【００６０】
前記したように、ＣＰＵ１１は、ステップ２００からステップ２０５までの動作において、通常の画面を表示している時に、視聴者による情報データの表示の要求を確認すると、その要求に従って最新のセンテンスをメモリー部１２から読み出し、画像合成表示できるように信号処理した後、視聴中の画面上の一部を使って表示する。更に、ＣＰＵ１１は、上記した処理過程中に、表示した各センテンスを、逐次メモリー部１２の第３の記憶部（図２）によって記憶していく（Ｓ２１８）。
【００６１】
この後ＣＰＵ１１は、視聴者が、例えばリモコン１４のキーを押すという方法で、過去に表示したセンテンスを時系列に溯って表示することを要求すると、リモコン１４から送信される赤外線信号を受信するリモコンＩ／Ｆ１５からの受信信号を入力してこの要求を確認する（Ｓ２１９）。そして、入力された信号に従ってメモリー部１２の第３の記憶部で記憶した過去に表示したセンテンスを時系列に溯って読み出し（Ｓ２２０）、読み出されたセンテンスを視聴中の画面上の一部を使って表示する。
【００６２】
以上のように、実施の形態７の処理動作によれば、視聴者が要求した時、第３の記憶部に記憶した過去に表示したセンテンスを時系列に溯って視聴中の画面の一部を使って表示するようにしたので、視聴者は、簡単に以前表示したセンテンスを知ることができる。
【００６３】
実施の形態８．
図１４は、本発明によるテレビジョン受信機１によって行なわれる実施の形態８の処理動作を説明するためのフローチャートである。本実施の形態では、テレビジョン受信機１が、ＣＰＵ１１の指令のもとに、記憶した情報データを口語調に変換してキャラクターデータと共に表示するようにしたもので、図１５はその表示例を示す説明図である。以下、前記した図２を参照しながら、このフローの動作について説明する。
【００６４】
尚、本実施の形態８の処理動作を実行するに際して、メモリー部１２の第１の記憶部（図２）には、前記した実施の形態１の図３のフローチャートに従って、情報データの各センテンスが記憶され、更に、メモリー部１２の第２の記憶部（図２）には、後述するように情報データを紹介するためのキャラクタを発生させるデータを記憶させているものとする。
【００６５】
前記したように、ＣＰＵ１１は、ステップ２００からステップ２０２までの動作において、通常の画面を表示している時に、視聴者による情報データの表示の要求を確認すると、入力された信号に従って最新のセンテンスをメモリー部１２から読み出す。
【００６６】
そしてこの読み出されたセンテンスを口語調に変換すると共に（Ｓ２１２）、予めメモリー部１２の第２の記憶部（図２）に記憶させた、情報データを紹介するキャラクタを発生させるデータを読み出す（Ｓ２１３）。そして図１５に示すように、映像信号処理部５で、口語調に変換した最新のセンテンスをキャラクタが紹介しているように配置して画像合成表示できるような形式の信号に変換し、（Ｓ２１４）、実際に画像信号合成する映像信号合成部６に入力する。
【００６７】
映像信号合成部６は、一般のテレビ放送を受信し表示している画面上に窓を設け、或いはオーバーレイを行い（Ｓ２１５）、口語調に変換したセンテンスを視聴中の画面上の一部を使って、図１５の表示例のようにキャラクタを口語調センテンスに関連付けて表示する（Ｓ２１６）。
【００６８】
以上のように、実施の形態８の処理動作によれば、視聴者が情報データの表示を要求した時、最新の口語調に変換したセンテンスと、これと関連するキャラクタを呼び出し、このセンテンスをキャラクタが紹介しているような配置で表示するようにしたので、テレビジョン受信機と擬似的なコミュニケーションを図りながら簡単に最新情報を知ることができる。
【００６９】
実施の形態９．
図１６、図１７は、本発明によるテレビジョン受信機１によって行なわれる実施の形態９の処理動作を説明するためのフローチャートである。本実施の形態では、テレビジョン受信機１が、ＣＰＵ１１の制御のもとに、テレビチャンネル情報を取得して記憶し、同じくＣＰＵ１１の制御のもとに、メモリー部１２からセンテンス及びお薦め番組を読み出して表示するようにしたもので、以下、図２を参照しながら、各フローチャートに基づいて、その動作について説明する。
【００７０】
図１６のフローにおいてＣＰＵ１１は、リモコン１４の操作等の特定のアクションがあると（Ｓ３００）、予め接続先を登録した、テレビチャンネル情報を配信している情報配信サイトへのインターネット接続、或いは電子番組ガイドを配信するデジタル放送の受信を行なう（Ｓ３０１）。インターネット接続でテレビチャンネル情報を取得する場合には通信Ｉ／Ｆ１３から取得し、デジタル放送で電子番組ガイドを取得する場合にはデジタル放送チューナー３から取得してＣＰＵ１１に入力する（Ｓ３０２）。そして、入力したテレビチャンネル情報をメモリー部１２の第４の記憶部（図２）で記憶する（Ｓ３０３）。
【００７１】
一方、図１７のフローにおいてＣＰＵ１１は、前記したように、ステップ２００からステップ２０２までの動作において、通常の画面を表示している時に、視聴者による情報データの表示の要求を確認すると、入力された信号に従って最新のセンテンスをメモリー部１２から読み出す。
【００７２】
但し、本実施の形態９の図１７のフローチャートの処理動作を実行するに際して、メモリー部１２の第１の記憶部（図２）には、前記した実施の形態１の図３のフローチャートに従って、情報データの各センテンスが予め記憶されているものとする。
【００７３】
その後、この読み出されたセンテンスから主要な単語を選出し（Ｓ２２１）、この主要な単語或いはこの単語に関連した語句を含む番組を、メモリー部１２の第４の記憶部（図２）で記憶されているテレビチャンネル情報における現在以降の番組の中から検索する（Ｓ２２２）。検索手順においては、主要な単語からの関連性、現在時刻から番組開始までの時間等に重み付けを施し、検索された番組の中から最上位の条件で検索された番組をお薦め番組として選出し（Ｓ２２３）、読み出されたセンテンスとお薦め番組を映像信号処理部５で画像合成表示できるような形式の信号に変換し（Ｓ２２４）、実際に画像信号合成する映像信号合成部６に入力する。
【００７４】
映像信号合成部６は、一般のテレビ放送を受信し表示している画面上に窓を設け、或いはオーバーレイを行い（Ｓ２２５）、読み出されたセンテンス及びお薦め番組を視聴中の画面上の一部を使って表示する（Ｓ２０５）。
【００７５】
以上のように、実施の形態９の処理動作によれば、情報データのセンテンスと共に、センテンスに関連した番組を視聴者に案内できる。このため、視聴者が、広範な番組の中から所望の番組を選択する際に、この選択を容易とする有効な機能として提供することができる。
【００７６】
実施の形態１０．
図１８は、本発明によるテレビジョン受信機１によって行なわれる実施の形態１０の処理動作を説明するためのフローチャートである。本実施の形態では、テレビジョン受信機１が、ＣＰＵ１１の制御のもとに、入手した情報データの中から、記憶するセンテンスを所定の方法で選択して行なうようにしたもので、以下、前記した図２を参照しながらこのフローチャートに基づいて、その動作について説明する。
【００７７】
先ず、図１８のフローを実行するには、前記した図１７のフローと同様に、メモリー部１２の第４の記憶部にテレビチャンネル情報が記憶されていなければならない。従って、メモリー部１２の第４の記憶手段には、前記した図１６に示したフローチャートに従って、予めテレビチャンネル情報が記憶されているものとする。
【００７８】
前記したように、ＣＰＵ１１は、ステップ１００からステップ１０３までの動作において、視聴者がテレビ番組を視聴している時、リモコン１４の操作等の特定のアクションがあると、予め接続先を登録した、情報配信サイトへのインターネット接続、或いはデータ放送の受信を行って得た情報データを入力する。
【００７９】
ＣＰＵ１１は、入力した情報データに対して１つの箇条書きを１センテンスとして各センテンスから主要な単語を選出し（Ｓ１０９）、選出した主要な単語或いはこの単語に関連した語句を含む番組を、該メモリー部１２の第４の記憶部で記憶されているテレビチャンネル情報における当日の番組の中から検索する（Ｓ１１０）。この検索により該当する番組が検索された語句を選出したセンテンスのみを時系列にメモリー部１２の第１の記憶部で記憶する（Ｓ１０４）。
【００８０】
以上のように、実施の形態１０の処理動作によれば、取得した情報データの各センテンスの内、当日の番組に関連したセンテンスのみを第１の記憶部に時系列に記憶するようにしたので、視聴者は、当日の番組に関連した最新の情報のみを知ることができる。
【００８１】
実施の形態１１．
本実施の形態では、図１の専用情報サイト５０、及び図示しない専用情報チャンネルを設ける。専用情報サイト５０は、最新の出来事をジャンル分けし、箇条書きの形式にて表示する情報配信サイトへのインターネット接続を一定の時間間隔で行ない、１つの箇条書きを１センテンスとし、各センテンスをジャンルごとに分け時系列に表示するようにして再配信する。また図示しない専用情報チャンネルも同様に、最新の出来事をジャンル分けし、箇条書きの形式にて表示するデータ放送の受信を一定の時間間隔で行い、１つの箇条書きを１センテンスとし、各センテンスをジャンルごとに分け時系列に表示するようにして再配信する。
【００８２】
この場合、テレビジョン受信機１は、上記専用情報サイト５０、及び図示しない専用情報チャンネルによって再配信する情報データを、前記した図３に示すフローに従って、通信Ｉ／Ｆ１３、或いはデジタル放送チューナー３から情報データとしてＣＰＵ１１へ入力する。ＣＰＵ１１は入力した情報データにおいて１つの箇条書きを１センテンスとし、各センテンスをジャンルごとに分け時系列に確保するメモリー部１２の第１の記憶部としてのメモリー領域に記憶する。
【００８３】
そして、前記した図４に示すフローに従って、例えば視聴者がリモコン１４のキーを選択して押すという方法で、ジャンルを選択し情報データの表示を要求した時、ＣＰＵ１１は、入力された選択信号に従って選択要求されたジャンルにおける最新のセンテンスをメモリー部１２の第１の記憶手段である記憶領域から読み出し、画面上の一部を使って表示する。
【００８４】
以上のように、実施の形態１１の再配信システムによれば、所望の情報データを所望の形式で再配信する専用の情報配信サイト、或いは専用のチャンネルを設けたので、テレビジョン受信機１が、複数の情報配信サイトへのアクセス、或いは複数のデータ放送の受信をすることなく、簡単にジャンルごとの最新情報を知ることができる。
【００８５】
尚、実施の形態１のテレビジョン受信機１では、表示部７、スピーカ１０をその構成要素として一体的に構成しているが、これに限定されるものではなく、表示部７とスピーカ１０を別構成として、信号処理部のみの構成として良い。
【００８６】
また、前記実施の形態では、一般のテレビ放送を受信し表示している画面上に窓を設け、或いはオーバーレイを行って、視聴中の画面上の一部を使って表示するとしているが、これに限定されるものではなく、ケーブルテレビ放送や、インターネットを使ったブロードバンド放送でも良く、更に視聴中の画面が一般のテレビ放送を受信した画面ではなくビデオ等の外部入力の画面を視聴中であっても同様の動作が可能なのは明らかである。
【００８７】
更に、前記実施の形態では、最新のセンテンスに対するお薦め番組のデータを選出表示するように説明したが、視聴者が例えばリモコン１４のキーを押すという簡単な方法で、視聴中の番組をお薦め番組に直接切り替えできるように構成してもよいなど、種々の態様を取り得るものである。
【００８８】
【発明の効果】
本発明のテレビジョン受信機によれば、最新の情報データを配信する配信元から情報データを取得し、この情報データを表示する際に、本体中の或いは別体とした表示手段の全画面のうち、必要最小限の表示領域を設定してセンテンス単位で表示できるため、今視聴している番組の視聴の継続を妨げることなく、視聴者にこの情報データを知らせることが可能となる。
【００８９】
また、本発明の情報データの配信方法によれば、テレビジョン受信機が、複数の情報配信サイトへのアクセス、或いは複数のデータ放送の受信をすることなく、所望の形式による所望の情報データを簡単に得ることができる。
【図面の簡単な説明】
【図１】本発明による実施の形態１のテレビジョン受信機１の構成を示すブロック図である。
【図２】メモリー部１２の記憶領域を概念的に表した概念図である。
【図３】テレビジョン受信機１が、視聴者の要求に基づいて情報データを取得して記憶するまでの流れを説明するためのフローチャートである。
【図４】テレビジョン受信機１が、記憶した情報データを読み出して表示するまでの流れを説明するためのフローチャートである。
【図５】読み出した情報データの表示例を示す説明図である。
【図６】テレビジョン受信機１が、記憶した情報データを読み出して表示すると同時に、その表示内容を音声出力するまでの流れを説明するフローチャートである。
【図７】本発明によるテレビジョン受信機１によって行なわれる実施の形態２の処理動作を説明するためのフローチャートである。
【図８】本発明によるテレビジョン受信機１によって行なわれる実施の形態３の処理動作を説明するためのフローチャートである。
【図９】本発明によるテレビジョン受信機１によって行なわれる実施の形態４の処理動作を説明するためのフローチャートである。
【図１０】本発明によるテレビジョン受信機１によって行なわれる実施の形態４の処理動作を説明するためのフローチャートである。
【図１１】本発明によるテレビジョン受信機１によって行なわれる実施の形態５の処理動作を説明するためのフローチャートである。
【図１２】本発明によるテレビジョン受信機１によって行なわれる実施の形態６の処理動作を説明するためのフローチャートである。
【図１３】本発明によるテレビジョン受信機１によって行なわれる実施の形態７の処理動作を説明するためのフローチャートである。
【図１４】本発明によるテレビジョン受信機１によって行なわれる実施の形態８の処理動作を説明するためのフローチャートである。
【図１５】実施の形態８において、読み出した情報データの表示例を示す説明図である。
【図１６】本発明によるテレビジョン受信機１によって行なわれる実施の形態９の処理動作を説明するためのフローチャートである。
【図１７】本発明によるテレビジョン受信機１によって行なわれる実施の形態９の処理動作を説明するためのフローチャートである。
【図１８】本発明によるテレビジョン受信機１によって行なわれる実施の形態１０の処理動作を説明するためのフローチャートである。
【図１９】本発明の説明に供する図である。
【図２０】本発明の説明に供する図である。
【符号の説明】
１  テレビジョン受信機、  ２  アンテナ、  ３  デジタル放送チューナー、４  アナログ放送チューナー、  ５  映像信号処理部、  ６  映像信号合成部、  ７  表示部、  ８  音声信号処理部、  ９  音声信号合成部、  １０  スピーカ、  １１  ＣＰＵ、  １２  メモリー部、  １３  通信Ｉ／Ｆ、  １４  リモコン、  １５  リモコンＩ／Ｆ、  ５０  専用情報サイト。
【図１】
2004179949.tif 000003
【図２】
2004179949.tif 000004
【図３】
2004179949.tif 000005
【図４】
2004179949.tif 000006
【図５】
2004179949.tif 000007
【図６】
2004179949.tif 000008
【図７】
2004179949.tif 000009
【図８】
2004179949.tif 000010
【図９】
2004179949.tif 000011
【図１０】
2004179949.tif 000012
【図１１】
2004179949.tif 000013
【図１２】
2004179949.tif 000014
【図１３】
2004179949.tif 000015
【図１４】
2004179949.tif 000016
【図１５】
2004179949.tif 000017
【図１６】
2004179949.tif 000018
【図１７】
2004179949.tif 000019
【図１８】
2004179949.tif 000020
【図１９】
2004179949.tif 000021
【図２０】
2004179949.tif 000022